(57)【要約】【課題】足場構築体を外側から被うカバー部材を設けた足場におけるカバー部材用パネル装置を提供する。【解決手段】養生シートや防音シート等のカバー部材により外側から被われた足場構築体において、支柱の左右両側に位置する一対のカバー部材の対向する側縁部に跨設されるパネル装置であり、支柱(2a)の外側に沿って上下方向に延びるパネル本体(9)と、前記支柱に固設された緊結部材(7)の緊結手段のうち足場構築体の外側に臨む緊結手段に前記パネル本体を固着する固着具(10)を備えており、前記パネル本体(9)は、前記支柱(2a)と共に前記カバー部材(5)の対向する側縁部(5a)を足場構築体の外側から被うパネル部(11)と、該パネル部の両側から両カバー部材の側縁部に臨まされる骨部(12,12)を備えている。【選択図】図２
2019002175.tif 000002
【特許請求の範囲】
【請求項１】
相互に離間して列設された支柱を連結することにより足場構築体を構築すると共に、足場構築体を外側からカバー部材により被わせて成る足場において、前記支柱(2a)に向けて配置された一対のカバー部材(5)(5)の対向する側縁部(5a,5a)に跨設されるパネル装置であり、
前記パネル装置は、前記支柱(2a)の外側に沿って上下方向に延びるパネル本体(9)と、該パネル本体を前記支柱に固着する固着具(10)を備え、
前記パネル本体(9)は、前記支柱(2a)と共に前記カバー部材(5)の対向する側縁部(5a)を足場構築体の外側から被うパネル部(11)と、該パネル部の両側から両カバー部材の側縁部に臨まされる骨部(12,12)を備えて成ることを特徴とする足場におけるカバー部材用パネル装置。
【請求項２】
前記固着具(10)は、一対のカバー部材(5,5)の対向する側縁部の端縁(5b,5b))を係止する係止手段(17,17)を設けて成ることを特徴とする請求項１に記載の足場におけるカバー部材用パネル装置。
【請求項３】
前記パネル本体(9)の骨部(12)は、前記カバー部材の側縁部(5a)に近接状態で臨まされる煽り止め部(18)を備えて成ることを特徴とする請求項１又は２に記載の足場におけるカバー部材用パネル装置。
【請求項４】
前記支柱は、周方向に間隔をあけて少なくとも４つ以上の緊結手段を備えた緊結部材を固設し、隣り合う支柱の間で前記緊結部材を連結することにより足場構築体を構築する構成において、
前記固着具(10)は、前記緊結部材(7)の緊結手段のうち足場構築体の外側に臨む緊結手段に固着されるように構成されており、
前記パネル本体(9)は、前記支柱(2a)の中心から前記固着具(10)が固着される緊結手段の中央を通過する基準線(R1)に対して、左右対称形に形成されると共に、
前記パネル本体(9)と固着具(10)は、前記基準線(R1)から前記支柱(2a)の中心廻りに左右４５度の角度で傾斜させられた一対の傾斜線(R2,R2)の間で該傾斜線(R2)を越えない形状のものとして形成されており、
前記骨部(12)は、前記傾斜線(R2)に近接して臨むコーナ用閉鎖部(19)を備えて成ることを特徴とする請求項１、２又は３に記載の足場におけるカバー部材用パネル装置。
【請求項５】
前記パネル本体(9)は、パネル部(11)と骨部(12,12)を一体に備えた押出成形材により形成されており、該パネル本体の上端部と下端部にそれぞれ上部キャップ(13)と下部キャップ(14)を設け、上部キャップと下部キャップの相互に嵌脱自在な凹部(15)と凸部(16)を形成して成ることを特徴とする請求項１、２、３又は４に記載の足場におけるカバー部材用パネル装置。
【発明の詳細な説明】
【技術分野】
【０００１】
本発明は、足場構築体を外側から被うカバー部材を設けた足場におけるカバー部材用パネル装置に関する。
【背景技術】
【０００２】
従来、緊結部材を固設した支柱を所定間隔毎に立設し、隣り合う支柱の緊結部材を連結することにより足場構築体を構築すると共に、該足場構築体を外側から養生シートや防音シート等から成るカバー部材により被わせた足場が公知である。
【先行技術文献】
【特許文献】
【０００３】
【特許文献１】特開２０１５−７８５５６号公報
【特許文献２】特開２０００−２２６９３４号公報
【特許文献３】特開平８−１２８２０８号公報
【発明の概要】
【発明が解決しようとする課題】
【０００４】
このような足場のカバー部材は、一般的に、支柱の左右両側に位置する一対のカバー部材の側縁部を対向させ、それぞれの側縁部を支柱に係止することにより取付けられている。側縁部の係止は、例えば、該側縁部の端縁に設けられたハトメの孔を支柱の緊結部材に対して係止具を用いて係止することにより行われている。
【０００５】
このため、左右一対のカバー部材の間には、相互に対向する側縁部に沿って上下方向に延びる隙間が形成されており、見栄えが悪いだけでなく、ボルト・ナット等の小物が隙間を通じて外部空間に落下する危険がある。
【０００６】
しかも、養生シートや防音シート等のシート状のカバー部材は、強風に煽られると、側縁部が揺れるため、バタツキによる騒音を発生する問題があり、その際、前記隙間の広がりにより前記小物等の落下の危険を増すだけでなく、バタツキ時の応力集中により係止具が破損して支柱から脱落するおそれがある。
【０００７】
上記に鑑み、本発明は、支柱の左右両側に位置する一対のカバー部材の側縁部を外側から被うパネル装置を提供し、これにより、外部からの見栄えを良くすると共に、小物等の落下を防止して安全を期し、更に、カバー部材の側縁部を良好に納めさせることにより、強風等による側縁部のバタツキを防止することを課題としている。
【課題を解決するための手段】
【０００８】
そこで、本発明が手段として構成したところは、相互に離間して列設された支柱を連結することにより足場構築体を構築すると共に、足場構築体を外側からカバー部材により被わせて成る足場において、前記支柱に向けて配置された一対のカバー部材の対向する側縁部に跨設されるパネル装置であり、前記パネル装置は、前記支柱の外側に沿って上下方向に延びるパネル本体と、該パネル本体を前記支柱に固着する固着具を備え、前記パネル本体は、前記支柱と共に前記カバー部材の対向する側縁部を足場構築体の外側から被うパネル部と、該パネル部の両側から両カバー部材の側縁部に臨まされる骨部を備えて成る点にある。
【０００９】
パネル装置は、前記固着具を備えているので、該固着具に一対のカバー部材の対向する側縁部の端縁を係止する係止手段を設けることができる。
【００１０】
前記パネル本体の骨部は、前記カバー部材の側縁部に近接状態で臨まされる煽り止め部を備えることが好ましい。
【００１１】
足場構築体は、通常、支柱には周方向に間隔をあけて少なくとも４つ以上の緊結手段を備えた緊結部材が固設されており、隣り合う支柱の間で前記緊結部材を連結することにより構築されるところ、本発明の好ましい実施形態において、前記固着具は、前記緊結部材の緊結手段のうち足場構築体の外側に臨む緊結手段に固着されるように構成されており、前記パネル本体は、前記支柱の中心から前記固着具が固着される緊結手段の中央を通過する基準線Ｒ１に対して、左右対称形に形成されると共に、前記パネル本体と固着具は、前記基準線Ｒ１から前記支柱の中心廻りに左右４５度の角度で傾斜させられた一対の傾斜線Ｒ２、Ｒ２の間で該傾斜線Ｒ２を越えない形状のものとして形成され、この際、前記骨部は、前記傾斜線Ｒ２に近接して臨むコーナ用閉鎖部を備えている。
【００１２】
前記パネル本体は、パネル部と骨部を一体に備えた押出成形材により形成され、その際、パネル本体の上端部と下端部にそれぞれ上部キャップと下部キャップを設け、上部キャップと下部キャップの相互に嵌脱自在な凹部と凸部を形成することが好ましい。
【発明の効果】
【００１３】
請求項１に記載の本発明によれば、パネル装置８は、支柱２ａに固着具１０を固着することにより取付け可能であり、パネル本体９のパネル部１１により、支柱２ａと共にカバー部材５、５の側縁部５ａを被うと共に、骨部１２、１２を両カバー部材５、５の側縁部５ａに臨ませるように構成しているので、足場構築体１の外部から見たときの見栄えが良いだけでなく、カバー部材５、５の側縁部５ａ、５ａが風に煽られないように被い保護することができる。
【００１４】
請求項２に記載の本発明によれば、パネル装置８を構成する固着具１０の係止手段１７にカバー部材５の端縁５ｂを係止する構成であるから、パネル装置８の取付作業と、カバー部材５の取付作業がほぼ同時に進行可能となり、作業効率が向上する。しかも、支柱２ａの緊結手段７ａに強固に固着される固着具１０の係止手段１７にカバー部材５の端縁５ｂが取付けられるので、カバー部材５の安定した取付状態が可能になる。
【００１５】
請求項３に記載の本発明によれば、パネル本体９の骨部１２に煽り止め部１８を形成しているので、カバー部材５の側縁部５ａの煽動を好適に抑制することができる。
【００１６】
請求項４に記載の本発明によれば、足場構築体１のＹ方向とＸ方向に交差するコーナ部に位置して、支柱２ａに２つのパネル装置８Ａ、８Ｂを取付け、Ｙ方向のカバー部材５ＡとＸ方向のカバー部材５Ｂの対向する側縁部５ａ、５ａを被うことが可能になる。しかも、２つのパネル装置８Ａ、８Ｂのコーナ用閉鎖部１９、１９が相互に近接させられ、隙間を生じさせないので、見栄えが良いだけでなく、小物等が外部空間に向けて落下する危険を防止することができる。
【００１７】
請求項５に記載の本発明によれば、支柱２ａに対して上下方向に連設された複数のパネル装置８、８の相互において、パネル本体９に設けられた上部キャップ１３と下部キャップ１４の凹部１５と凸部１６が嵌合されるので、上下直線上に整列状態で連設することができ、仕上がりの良い取付設置を可能にすると共に、万一、上下中間位置のパネル装置８の固着具１０が固着不良を生じた場合でも、その上下に連設されたパネル装置のパネル本体９、９により前記凹凸嵌合を介して保持しているので、落下が防止されるという利点がある。
【図面の簡単な説明】
【００１８】
【図１】本発明の１実施形態に係るパネル装置によりカバー部材の側縁部を被われた足場の１例を示す斜視図である。
【図２】足場構築体を構成する支柱と、本発明の１実施形態に係るパネル装置と、カバー部材の側縁部を分解状態で示す斜視図である。
【図３】本発明の１実施形態に係るパネル装置に関して、パネル本体の上端部と、固着具と、上部キャップを分解状態で示す斜視図である。
【図４】本発明の１実施形態に係るパネル装置に関して、パネル本体の下端部と、下部キャップを分解状態で示す斜視図である。
【図５】支柱の緊結部材に対するパネル装置の好ましい構成を示す横断面図である。
【図６】支柱とパネル装置とカバー部材の関係を示しており、（Ａ）は足場構築体のＹ方向に関して支柱の両側に配置された一対のカバー部材の側縁部が１個のパネル装置で被われた状態を示す横断面図、（Ｂ）は足場構築体のＹ方向とＸ方向に交差するコーナ部において支柱の両側に配置された一対のカバー部材の側縁部が２個のパネル装置で被われた状態を示す横断面図である。
【発明を実施するための形態】
【００１９】
以下図面に基づいて本発明の好ましい実施形態を詳述する。
【００２０】
（足場構築来）
図１に示すように、足場構築体１は、所定間隔をあけて立設された多数の支柱２を相互に連結することにより構築されている。図例の場合、Ｘ方向に離間する支柱２ａ、２ｂは、横架材３により連結され、Ｙ方向に離間する支柱２ａ、２ａ（２ｂ、２ｂ）は、横架材３に架設された足場板４により連結されている。そこで、構築された足場構築体１は、外側からカバー部材５により被われる。図示のように、Ｙ方向に連設されるカバー部材５、５の対向する側縁部５ａ、５ａは、足場構築体１の外側の支柱２ａの左右両側に配置され、前記側縁部５ａ、５ａの間に隙間Ｓを有している。尚、カバー部材５は、従来の養生シートや防音シート等のシート体により構成されるのが一般的であるが、板状体により構成されたものでも良い。
【００２１】
前記支柱の連結を可能にするため、図１及び図２に示すように、各支柱２は上下方向に所定間隔をあけて緊結部材６を固設しており、該緊結部材６は、支柱２を中心とする周方向に等間隔をあけて４つの緊結手段７を備えている。図例の場合、緊結部材６は、概ね星形のフランジ部材により形成され、該フランジ部材の楔孔により形成された緊結手段７に対して、前記横架材３やその他の連結部材の楔を打ち込むことにより緊結するように構成された楔緊結構造を示しているが、必ずしもこれに限定されるものではない。
【００２２】
そこで、左右両側に一対のカバー部材５、５が配置された支柱２ａには、外側から該カバー部材の側縁部５ａ、５ａに跨るパネル装置８が設置される。
【００２３】
（パネル装置）
図２ないし図５に示すように、パネル装置８は、支柱２ａの外側に沿って上下方向に延びるパネル本体９と、前記支柱２ａに固設された緊結部材６の緊結手段７のうち足場構築体１の外側に臨む緊結手段７ａにパネル本体９を固着する固着具１０を備えている。
【００２４】
（パネル本体）
前記パネル本体９は、前記支柱２ａと共に前記カバー部材５の対向する側縁部５ａの端縁５ｂを足場構築体の外側から被うパネル部１１と、該パネル部１１の両側から前記カバー部材５の側縁部５ａに臨む骨部１２、１２を備えている。
【００２５】
図示実施形態の場合、パネル本体９は、前記パネル部１１を帯状平板部１１ａにより形成すると共に、前記骨部１２を柱状筒部１２ａにより形成しているが、これに限定されるものではなく、例えば、パネル部１１は、偏平筒状等に形成しても良く、骨部１２は、翼片状に形成しても良い。
【００２６】
このようなパネル本体９は、アルミニウム等によりパネル部１１と骨部１２、１２を一体に備えた押出成形材により形成することが好ましく、該パネル本体９の上端部と下端部にそれぞれ上部キャップ１３と下部キャップ１４を装着することが好ましい。
【００２７】
図３に示すように、上部キャップ１３は、前記パネル部１１を構成する帯状平板部１１ａの上端部を嵌入させるスリット１３ａと、前記骨部１２、１２を構成する柱状筒部１２ａの上端部に嵌挿される栓部１３ｂを備えており、これらを相互に嵌合した状態で、図示省略したビスにより固着される。
【００２８】
図４に示すように、下部キャップ１４は、前記パネル部１１を構成する帯状平板部１１ａの下端部を嵌入させるスリット１４ａと、前記骨部１２、１２を構成する柱状筒部１２ａの下端部に嵌挿される栓部１４ｂを備えており、これらを相互に嵌合した状態で、図示省略したビスにより固着される。
【００２９】
上部キャップ１３と下部キャップ１４の相互には、嵌脱自在な凹部１５と凸部１６が形成されており、複数のパネル本体９を上下方向に連設状態で支柱２ａに取付け設置する際、パネル本体９の相互間で前記凹部１５と凸部１６が嵌合され、上下方向の直線上に整列された連設を可能にすると共に、このような凹凸嵌合を介して上下に連設されたパネル装置８、８のパネル本体９、９を相互に保持する。尚、図例の場合、上部キャップ１３に２つの凹部１５を設け、下部キャップ１４に２つの凸部１６を設けた構成を示しているが、反対に、上部キャップ１３に凸部１６を設け、下部キャップ１４に凹部１５を設けても良く、更には、上部キャップ１３に凹部１５と凸部１６を並設すると共に、下部キャップ１４に１組の凸部１６と凹部１５を並設し、相互に凹凸嵌合するように構成しても良い。
【００３０】
（固着具）
前記固着具１０は、パネル本体９の骨部１２、１２の間でパネル部１１の内側面にボルト・ナット等を介して固着されており、支柱２ａに固設された緊結部材６の緊結手段７ａに着脱自在に固着される。図示実施形態の場合、フランジにより形成された緊結部材６の楔孔とされた緊結手段７ａに対して固着するため、固着具１０は、金属板を折曲することにより形成された上顎部１０ａ及び下顎部１０ｂと、その間に挿通された楔片１０ｃを備えており、上下顎部１０ａ、１０ａの間に前記フランジを挿入した状態で、楔片１０ｃを楔孔に嵌入する楔緊結方式として構成されている。
【００３１】
図１及び図２に示すように、固着具１０は、支柱２ａに固設された緊結部材６の上下間隔に対応して、パネル本体９の長手方向に所定間隔をあけて複数個（図示実施形態の場合は２個）が設けられている。
【００３２】
（カバー部材の係止手段）
カバー部材５は、図２に示すように、通常、端縁５ｂに所定間隔をあけてハトメの孔等から成る取付孔５ｃを設けている。従って、カバー部材５は、前記取付孔５ｃを索条やフック金具等の取付手段により、支柱２ａに直接に取付けるようにしても良いが、本発明の実施形態は、パネル装置８に前記取付孔５ｃを係止する係止手段１７を設け、取付作業の効率を向上させている。つまり、足場構築体１にパネル装置８を取付ける作業と、該パネル装置８にカバー部材５の端縁５ｂ（取付孔５ｃ）を取付ける作業をほぼ同時に進行可能とすることにより、作業効率が向上する。
【００３３】
前記係止手段１７は、パネル本体９に設けても良いが、図示実施形態のように、前記固着具１０の上顎部１０ａに設けることが好ましい。これにより、支柱２ａの緊結手段７ａに強固に固着された固着具１０の係止手段１７にカバー部材５の端縁５ｂが取付けられることになるので、カバー部材５の取付状態も安定することになる。
【００３４】
図例の場合、上顎部１０ａの左右に位置して立設した２本のピン１７ａにより係止手段１７を構成し、図２に矢印で示すように、カバー部材５の端縁５ｂを捻じることにより、取付孔５ｃを上下向き姿勢とさせた状態でピン１７ａに挿入係止させるように構成しているが、これに限定されるものではない。例えば、ピン１７ａの上端部に水平方向のフックを折曲形成しておけば、取付孔５ｃを横向き姿勢としたままの状態で挿入係止させることが可能になる。
【００３５】
（特徴的構成と作用）
図５に示すように、パネル装置８は、支柱２ａに固設された緊結部材６の緊結手段７ａに固着具１０を固着することにより取付けられ、支柱２ａの左右両側に位置するカバー部材５、５の取付孔５ｃを前記係止手段１７、１７に係止することにより、該カバー部材５を取付状態として保持する。この状態において、パネル本体９のパネル部１１が支柱２ａと共にカバー部材５、５の側縁部５ａを被い、該パネル部１１の両側の骨部１２、１２が両カバー部材５、５の側縁部５ａに臨まされる。
【００３６】
図示実施形態の場合、上述のように、パネル本体９は、アルミニウム等の押出成形材により形成され、パネル部１１を構成する帯状平板部１１ａと、骨部１２、１２を構成する柱状筒部１２ａ、１２ａを一体に備えているので、足場構築体１の外部から見たときの見栄えが良いだけでなく、柱状筒部１２ａ、１２ａが補強骨として帯状平板部１１ａを補強した長尺体を構成し、風雨に耐え得る剛性を備えている。
【００３７】
これにより、カバー部材５、５の側縁部５ａ、５ａは、外側からパネル部１１により被われた状態で、外部から強風を受けないように保護される。
【００３８】
ところで、カバー部材５は、全体として強風を受けることが不可避であり、その際、全体的に煽られる脈動が側縁部５ａに伝播すると、それにより煽られる端縁５ｂ（取付孔５ｃ）が脱落するおそれがある。このため、図示実施形態のように、パネル本体９の骨部１２に、カバー部材５の側縁部５ａに近接状態で臨まされる煽り止め部１８を形成することが好ましい。これにより、側縁部５ａの煽動を抑制することができるので、端縁５ｂ（取付孔５ｃ）に対する煽動の伝播を好適に防止することができる。
【００３９】
本発明の好ましい実施形態において、図５に示すように、パネル本体９は、支柱２ａの中心から固着具１０が固着される緊結手段７ａの中央を通過する基準線Ｒ１に対して、左右対称形に形成されている。図例の場合、パネル本体９のみならず固着具１０及び係止手段１７を含むパネル装置８の全体（ただし楔片１０ｃの形状を除く）の形状について、基準線Ｒ１に対する左半部８Ｌと右半部８Ｒが線対称となるように形成されている。
【００４０】
そして、パネル本体９と固着具１０は、前記基準線Ｒ１から支柱２ａの中心廻りに左右４５度の角度で傾斜させられた一対の傾斜線Ｒ２、Ｒ２の間で該傾斜線Ｒ２を越えない形状のものとして形成され、前記骨部１２には、前記傾斜線Ｒ２に近接して臨むコーナ用閉鎖部１９が形成されている。
【００４１】
このような構成としているため、パネル装置８は、図１及び図６（Ａ）に示すように、Ｙ方向に連設されるカバー部材５、５の対向する側縁部５ａ、５ａを被う場合だけでなく、図６（Ｂ）に示すように、Ｙ方向とＸ方向に交差して延設された足場構築体１のコーナ部においても、パネル装置８により、コーナ部に位置するカバー部材５の側縁部５ａを好適に被うことが可能となる。
【００４２】
コーナ部においては、図６（Ｂ）に示すように、２つのパネル装置が使用される。Ｘ方向に関しては、Ｘ方向の外側に臨む緊結手段７ａに固着具１０を固着することにより第１パネル装置８Ａを取付けると共に、Ｙ方向に配置されたカバー部材５Ａの端縁５ｂ（取付孔５ｃ）を係止手段１７に係止する。そして、Ｙ方向に関しては、Ｙ方向の外側に臨む緊結手段７ｂに固着具１０を固着することにより第２パネル装置８Ｂを取付けると共に、Ｘ方向に配置されたカバー部材５Ｂの端縁５ｂ（取付孔５ｃ）を係止手段１７に係止する。
【００４３】
これにより、コーナ部に位置して、支柱２ａに２つのパネル装置８Ａ、８Ｂを相互に干渉することなく取付けることが可能になり、Ｙ方向のカバー部材５ＡとＸ方向のカバー部材５Ｂの対向する側縁部５ａ、５ａを好適に被うことができる。しかも、２つのパネル装置８Ａ、８Ｂの間で、相互にコーナ用閉鎖部１９、１７が近接させられているので、隙間を生じるようなことはなく、見栄えが良いだけでなく、小物等が外部空間に向けて落下する危険を防止することができる。
【符号の説明】
【００４４】
１  足場構築体
２（２ａ、２ｂ）  支柱
３  横架材
４  足場板
５（５Ａ、５Ｂ）  カバー部材
５ａ  側縁部
５ｂ  端縁
５ｃ  取付孔
６  緊結部材
７（７ａ）  緊結手段
８（８Ａ、８Ｂ）  パネル装置
９  パネル本体
１０  固着具
１０ａ  上顎部
１０ｂ  下顎部
１０ｃ  楔片
１１  パネル部
１１ａ  帯状平板部
１２  骨部
１２ａ  柱状筒部
１３  上部キャップ
１３ａ  スリット
１３ｂ  栓部
１４  下部キャップ
１４ａ  スリット
１４ｂ  栓部
１５  凹部
１６  凸部
１７  係止手段
１７ａ  ピン
１８  煽り止め部
１９  コーナ用閉鎖部
【図１】
2019002175.tif 000003
【図２】
2019002175.tif 000004
【図３】
2019002175.tif 000005
【図４】
2019002175.tif 000006
【図５】
2019002175.tif 000007
【図６】
2019002175.tif 000008